(57)【要約】少なくとも片面にポリシロキサンの薄層または薄膜（３）を塗布した柔軟な繊維（２）からなることを特徴とする、かつら用の柔軟な接着部材。
2005532485.tif 000002
【特許請求の範囲】
【請求項１】
少なくとも片面にポリシロキサンの薄層または薄膜（３）を塗布した柔軟な繊維（２）からなることを特徴とする、かつら用の柔軟な接着部材。
【請求項２】
前記支持繊維（２）が、弾性の繊維であることを特徴とする請求項１に記載の柔軟な接着部材。
【請求項３】
前記支持繊維（２）が、複数の方向に延伸可能であることを特徴とする請求項２に記載の柔軟な接着部材。
【請求項４】
前記繊維（２）に塗布される前記ポリシロキサンの薄層または薄膜（３）の重量が、１００〜３００ｇ／ｍ2であることを特徴とする請求項１から３のいずれか一項に記載の柔軟な接着部材。
【請求項５】
前記薄層（３）を構成するポリシロキサンが、単一成分のポリシロキサンであることを特徴とする請求項１から４のいずれか一項に記載のかつら用の柔軟な接着部材。
【請求項６】
前記薄層（３）を構成するポリシロキサンが、溶媒を含まないポリシロキサンであることを特徴とする請求項１から５のいずれか一項に記載のかつら用の柔軟な接着部材。
【請求項７】
ボンネットの内面（５）が、請求項１から６のいずれか一項に従って製造された柔軟な接着部材（１）から少なくとも部分的に構成されており、前記ポリシロキサンの薄層または薄膜（３）からなる内面が、前記かつらをかぶるとき、ユーザーの頭の肌に取り付けられるように配向されることを特徴とするかつら。
【請求項８】
頭髪を支持する「ウェフト」または「横糸」が固定される弾性繊維の帯からキャップまたはボンネットを構成し、これらの帯の少なくとも幾つかが、請求項１から６のいずれか一項に従って製造された柔軟な接着部材（２−３）から構成されることを特徴とする請求項７に記載のかつら。
【請求項９】
頭髪（６）を支持する「ウェフト」または「横糸」が固定される全ての弾性帯（１）が、請求項１から６のいずれか一項に従って製造された柔軟な接着部材（２−３）から構成されることを特徴とする請求項８に記載のかつら。
【請求項１０】
天然または人工の頭髪（６）が、柔軟な接着帯に直接植え付けられることを特徴とする請求項８または９に記載のかつら。
【発明の詳細な説明】
【技術分野】
【０００１】
本発明は、ユーザーの頭部の所望の位置にかつらを保持するために、かつらに取付可能な柔軟な接着部材に関し、この場合、本発明は、その用途（かつら、入れ毛、ヘアピース）とは無関係に、あらゆるタイプの付け毛に適用され、さらには、他のタイプの髪形に適用される。
【０００２】
本発明は、また、滑り止めの柔軟部材、もしくは滑り止め加工を施した柔軟部材を備えるかつらに関する。
【背景技術】
【０００３】
付け毛、かつら、および同等物は、内部支持体を含み、この支持体は、大抵が特別なタイプのネットから構成され、このネットの上に天然または人工の頭髪が植え込まれ、内部支持体が、ユーザーの頭部へのかつら固定手段を備えている。こうした固定手段には様々なタイプがある。
【０００４】
一般的な実施形態によれば、かつらは、弾性ネット帯からなるキャップを含み、頭髪を支持する「ウェフト」または「横糸」がこのネット帯に縫いこまれて、ボンネットを形成している。これらの弾性帯は、ランジェリーでよく使用されているものと同じタイプである（ブラジャーのストラップその他）。これらの弾性帯は、幾分厚ぼったく、多少とも幅広で、さらには多少の弾性がある（伸び方が異なる）。
【０００５】
かつらは、理論上、次のような必要性を満たさなければならない。
ユーザーの頭部にかつらを簡単かつ素早く設置可能であること。
できるだけ軽量であること。
十分にくっついて滑らないこと。
ユーザーの肌を刺激しないこと。
クリーニング可能で、経時的に清潔さを保つこと。
天然毛にできるだけ近い外観をもつこと。
被りやすいこと。
ほぼ瞬時に容易にはずせること。
【０００６】
また、かつらは、ユーザーの皮膚に外傷作用のあるものであってはならない。
【０００７】
市販されている様々なかつらは、上記の必要性の幾つかを満たすが、完全に満足を与えるものは一つもない。
【０００８】
上記の要求事項に最大限に応えるために、出願人は、内部支持体またはボンネットが、その内面に固定された柔軟な滑り止め部品を備え、少なくともユーザーの頭部の肌と接する面で延伸性の薄膜をなす物質を含浸した延伸性の繊維からこの部品を構成し、延伸性の薄膜が、前記繊維の含浸および乾燥後、軟化温度、たとえば周囲の温度よりも低い温度で粘着性または接着性がなくなる滑り止め面を有するかつらを既に提案している（国際公開第９９／４４４５２号パンフレット）。
【０００９】
上記の文献に記載された実施形態によれば、延伸性の繊維に含浸させて前記繊維の少なくとも片面を被覆する接着物質からなる薄膜は、ポリウレタン類の中から選択される２個の接着剤の混合物から構成される。
【００１０】
上記の特徴を持つ滑り止め部品により、このような部品を備えたかつらは、
専門家の手を借りなくてもユーザーが簡単に素早く取り付けられる。
従来の製品よりも頭部にぴったりと保持され、不快感がない。
外傷作用や不具合なしに、瞬時に簡単に取り外せる。
【００１１】
従って、国際公開第９９／４４４５２号パンフレットに記載されたかつらは、従来の製品よりもずっと進んだ製品である。
【００１２】
しかしながら、特に、次のような新しい材料を作り出すことが望ましく思われる。
製品を付ける人の肌との接触感が、一層柔らかく、一層快適な材料。
肌に対してさらに中性で刺激がない材料。
肌との接着品質を向上させた材料。
【００１３】
本発明は、特にかつらの製造に適した、上記の材料を提供することをめざしている。本発明は、また、この材料を用いたかつらに関する。
【００１４】
本発明によれば、この目的は、内部支持体またはボンネットを、ユーザーの肌にくっつく柔軟な部品から少なくとも部分的に構成したかつらにより達成され、前記柔軟な部品は、柔軟な繊維（tissu）から構成され、その少なくとも片面に、前記かつらの使用時にユーザーの肌と接するように配向されたポリシロキサンの薄層または薄膜を塗布されている。
【００１５】
より一般的には、本発明は、少なくとも片面にポリシロキサンの薄層または薄膜を塗布した柔軟な繊維からなる柔軟な接着部材からなり、前記片面が、このような柔軟な部材を用いて製造される製品を付ける人の肌に接するように構成される。
【００１６】
本発明は、上記に列挙した望ましい長所と、次のような有効な特徴とを有する。
柔軟な接着部材により、前記部材に天然または人工の頭髪が直接植え付けられる。
ポリシロキサン薄膜は、肌に接するとかなり短時間で効果がはっきりと現われる接着品質を有する。
柔軟な部材の弾性特性が経時的に保持され、頻繁に洗浄しても影響を受けない。
【００１７】
上記の目的、特徴、および長所、あるいは他の目的、特徴、および長所は、以下の説明および添付図面から一層明らかになるであろう。
図１は、本発明による柔軟な接着部材の概略図である。
図２は、このような柔軟な接着部材を備えたかつらの裏面の概略的な特徴を示す斜視図である。
【００１８】
上記の図面を参照しながら、少しも限定的ではないが、本発明による柔軟な接着部材およびかつらの有利な実施例について説明する。
【００１９】
本発明による柔軟な接着部材１は、柔軟な繊維２からなり、前記支持繊維にそれ自体既知の塗布方法で塗布されるポリシロキサンの薄層または薄膜３が、少なくとも片面に塗布されている。
【００２０】
好適には、薄層または薄膜３が、単一成分のポリシロキサンおよび／または、例えば溶媒を含まないポリシロキサンから構成される。
【００２１】
有利には、支持繊維２が、好適には複数の方向に延伸可能な弾性繊維からなる。これは、縦糸および横糸を持つ繊維、網状繊維、または不織繊維とすることができ、そのため、前記繊維２およびポリシロキサンからなるそのコーティング３が、同様に、２次元の弾性特性を有する。
【００２２】
繊維に塗布されるポリシロキサンの薄層または薄膜３は、１００〜３００ｇ／ｍ2である。
【００２３】
本発明によるかつら４は、ボンネットの内面５が、上記の柔軟な接着部品１から少なくとも部分的に構成されており、ポリシロキサンの薄層または薄膜３からなる内面は、ユーザーが前記かつらをかぶるとき、ユーザーの頭部の肌に取り付けられるように配向されることを特徴とする。
【００２４】
頭髪を支持する「ウェフト」または「横糸」が縫いこまれるか嵌め込まれている弾性繊維帯からなるキャップまたはボンネットを、かつらが含む場合、これらの帯の少なくとも幾つかが、上記の柔軟な接着部材１、２、３から構成され、この部材に天然または人工の頭髪６が固定される。
【００２５】
有利には、頭髪６を支持する「ウェフト」または「横糸」を縫いこんだ全ての弾性帯が、上記の柔軟な接着部品１から構成される。
【００２６】
この構成により、かつらまたは滑り止め層３がカバーする接触エリアがこれまでよりも広く、従って、かつらまたは滑り止め層が、ユーザーの額から襟首まで広範な面積に取り付けられるので、かつらの支持面を補強し、頭部への保持具合を改善することができる。
【００２７】
別の特徴的な構成によれば、天然または人工の頭髪６は、柔軟な接着帯１、２、３に、それらの下端を介して直接植え付けられる。
【図面の簡単な説明】
【００２８】
【図１】本発明による柔軟な接着部材の概略図である。
【図２】このような柔軟な接着部材を備えたかつらの裏面の概略的な特徴を示す斜視図である。
【符号の説明】
【００２９】
１  柔軟な接着部材
２  支持繊維
３  薄層または薄膜
４  かつら
５  ボンネットの内面
６  頭髪
【図１】
2005532485.tif 000003
【図２】
2005532485.tif 000004
【国際調査報告】
2005532485.tif 000005
2005532485.tif 000006
2005532485.tif 000007
2005532485.tif 000008
2005532485.tif 000009
2005532485.tif 000010
2005532485.tif 000011